(57)【要約】【課題】文化遺産の実物に関する正確な理解を効果的に促しうる印刷物、コンピュータ読み取り可能な記録媒体、及び刊行物を提供すること。【解決手段】本発明に基づく書籍１（印刷物）は、文化遺産が表示されている文化遺産表示部３ａを有している。文化遺産表示部３ａの大きさは、当該文化遺産表示部３ａに表示されている文化遺産の実物の大きさに対して所定倍率を有している。そして、書籍１には、文化遺産表示部３ａと、当該文化遺産表示部３ａに表示されている文化遺産の実物の大きさに対する所定倍率が表示されている倍率表示部５ａと、が相互に対応付けられて表示されている。【選択図】  図１
2004191586.tif 000002
【特許請求の範囲】
【請求項１】
文化遺産類が表示されている文化遺産表示部を有する印刷物において、
前記文化遺産表示部の大きさは、当該文化遺産表示部に表示されている文化遺産類の実物の大きさに対して所定倍率を有しており、
前記印刷物には、前記文化遺産表示部と、当該文化遺産表示部に表示されている文化遺産類の実物の大きさに対する前記所定倍率が表示されている倍率表示部と、が相互に対応付けられて表示されていることを特徴とする印刷物。
【請求項２】
前記印刷物には、前記文化遺産表示部を前記印刷物から分離するための分離ラインが設けられていることを特徴とする請求項１に記載の印刷物。
【請求項３】
前記印刷物には、当該文化遺産表示部を分割するための分割ラインが設けられており、
前記分割ラインは、当該分割ラインによって分割される文化遺産表示部の各部の全体を、倍率変更可能コピー装置によって前記所定倍率の大きさにコピーすることができるように、設けられていることを特徴とする請求項１又は２のいずれかに記載の印刷物。
【請求項４】
実物に対して所定倍率の大きさに調整された文化遺産類に関するデータを含む文化遺産関連データと、
前記文化遺産関連データに含まれ実物に対して所定倍率の大きさに調整された文化遺産類に関するデータに対応付けられたデータであって、前記所定倍率に関するデータ、を含む倍率データと、
が記録されたコンピュータ読み取り可能な記録媒体。
【請求項５】
請求項１乃至３のうちいずれか１項に記載の印刷物と、
請求項４に記載のコンピュータ読み取り可能な記録媒体と、を備え、
前記印刷物の前記文化遺産表示部に表示されている文化遺産類と、前記コンピュータ読み取り可能な記録媒体に記録されている文化遺産関連データに含まれ実物に対して所定倍率の大きさに調整された文化遺産類と、は同一対象に関するものであることを特徴とする刊行物。
【発明の詳細な説明】
【０００１】
【発明の属する技術分野】
本発明は、文化遺産類が表示されている文化遺産表示部を有する印刷物、文化遺産類に関するデータが記録されたコンピュータ読み取り可能な記録媒体、及びこれらの印刷物及びコンピュータ読み取り可能な記録媒体を備えた刊行物、に関する。
【０００２】
【従来の技術】
例えば学校では、児童生徒が文化遺産類に対する理解を深めることができるように、文化遺産類が表示された教科書等（印刷物）が用いられている。また、近年のコンピュータの普及に伴い、文化遺産類に関するデータが記録されたＣＤ−ＲＯＭ等のコンピュータ読み取り可能な記録媒体を利用して、コンピュータを介して文化遺産類を表示させることが一般的に行われるようになってきている。
【０００３】
【発明が解決しようとする課題】
しかしながら、実物が非常に巨大であったり極小であったりする文化遺産類の場合には、実物と同じ大きさでこれらの文化遺産類を印刷物に表示することが難しい。このため、このような文化遺産類は、印刷物に表示することができる大きさに倍率が調整された状態で、当該印刷物に表示される。
【０００４】
また、コンピュータ（ディスプレイ等）を介して一度に提供することができる画像の大きさには、一定の限界がある。このため、ＣＤ−ＲＯＭ等の記録媒体にはコンピュータを介して提供することができる大きさに倍率が調整された文化遺産類に関するデータが記録される。
【０００５】
従って、このような印刷物や記録媒体は、必ずしも文化遺産類の実物に関する正確な情報を提供するものではないため、印刷物や記録媒体の利用者は、文化遺産類の実物に関する正確な理解を得ることが難しい場合がある。
【０００６】
本発明は、上述の事情を鑑みてなされたものであり、文化遺産類の実物に関する正確な理解を効果的に促しうる印刷物、コンピュータ読み取り可能な記録媒体、及び刊行物を提供することを目的とする。
【０００７】
【課題を解決するための手段】
本発明は、文化遺産類が表示されている文化遺産表示部を有する印刷物において、前記文化遺産表示部の大きさは、当該文化遺産表示部に表示されている文化遺産類の実物の大きさに対して所定倍率を有しており、前記印刷物には、前記文化遺産表示部と、当該文化遺産表示部に表示されている文化遺産類の実物の大きさに対する前記所定倍率が表示されている倍率表示部と、が相互に対応付けられて表示されていることを特徴とする印刷物である。ここでいう文化遺産類とは、将来に継承される文化財（文化遺産）及びこれに類するもの全般を含むものである。また、印刷物とは、文字や絵等を含む画像が表示されている媒体全般を指す。このような印刷物には、例えば書籍（例えば社会科の資料集、ドリル、作業帳、白地図、ノート、図鑑、手帳、マニュアル、シート集、ワーク）、シート、カード、シール、テスト、プリント、パンフレット、ポスター、掲示用資料、ファックス原稿用紙、等が含まれうる。
【０００８】
この場合、前記印刷物には、前記文化遺産表示部を前記印刷物から分離するための分離ラインが設けられていることが好ましい。分離ラインは、線が表示されているだけのもの、切り取る際に好適に利用することができる切り取り孔を有するもの、等を含む。
【０００９】
また、前記印刷物には、当該文化遺産表示部を分割するための分割ラインが設けられており、前記分割ラインは、当該分割ラインによって分割される文化遺産表示部の各部の全体を、倍率変更可能コピー装置によって前記所定倍率の大きさにコピーすることができるように、設けられていることが好ましい。倍率変更可能コピー装置とは、被コピー体の大きさを所定倍率の大きさに調整した状態でコピーすることができる装置全般を指し、例えば、通常のコピー機（モノクロ、カラー）、拡大複写機、等を含む。なお、分割ラインは、線が表示されているだけのもの、切り取る際に好適に利用することができる切り取り孔を有するもの、等を含む。
【００１０】
本発明は、実物に対して所定倍率の大きさに調整された文化遺産類に関するデータを含む文化遺産関連データと、文化遺産関連データに含まれ実物に対して所定倍率の大きさに調整された文化遺産類に関するデータに対応付けられたデータであって、前記所定倍率に関するデータ、を含む倍率データと、が記録されたコンピュータ読み取り可能な記録媒体である。コンピュータ読み取り可能な記録媒体は、ＣＤ−ＲＯＭ、フロッピーディスク、ＭＯ、その他のデータ記録媒体を含む。また、所謂ファイルやアプリケーション等も、コンピュータ読み取り可能な記録媒体に記録されるデータに準ずるものとして取り扱うことができる。
【００１１】
本発明は、上述の印刷物と、上述のコンピュータ読み取り可能な記録媒体と、を備え、前記印刷物の前記文化遺産表示部に表示されている文化遺産類と、前記コンピュータ読み取り可能な記録媒体に記録されている文化遺産関連データに含まれ実物に対して所定倍率の大きさに調整された文化遺産類と、は同一対象に関するものであることを特徴とする刊行物である。ここでいう刊行物とは、印刷物とコンピュータ読み取り可能な記録媒体とを有するもの全般を指す。
【００１２】
【発明の実施の形態】
以下、図面を参照して本発明の実施の形態について説明する
第１の実施の形態
本発明の第１の実施の形態は、図１に示されているような書籍（印刷物）１に関する。
【００１３】
書籍１は、文化遺産類が表示されている文化遺産表示部３ａを単数乃至複数有している。各文化遺産表示部３ａの大きさは、文化遺産表示部３ａに表示されている文化遺産類の実物の大きさに対して所定倍率を有している。
【００１４】
この「所定倍率」は、各文化遺産表示部３ａ毎に決めることが可能であり、文化遺産類に対する理解の促進、実物の大きさ、等といった書籍１における表示上の都合に応じて、この「所定倍率」を変更することができる。また、本実施の形態では、文化遺産表示部３ａの全体が文化遺産類の実物に対して所定倍率の大きさを有しており、文化遺産表示部３ａの縦方向の大きさも横方向の大きさも実物に対して所定倍率を有している。
【００１５】
また、書籍１は、当該文化遺産表示部３ａに表示されている文化遺産類の実物の大きさに対する前記所定倍率が表示されている倍率表示部５ａを有している。そして、この書籍１には、文化遺産表示部３ａと倍率表示部５ａとが相互に対応付けられて表示されている。例えば、図１に示されているように、各文化遺産表示部３ａの上端と下端との間に矢印が表示され、当該矢印の近傍に、倍率表示部５ａと、実物の大きさ（縦方向の大きさ）と、が表示されている。
【００１６】
更に、この書籍１は、レプリカ作成方法説明部７ａを有している。レプリカ作成方法説明部７ａでは、各文化遺産表示部３ａを所定倍率の大きさにコピー（拡大コピー、縮小コピー、等倍コピー）したコピー印刷物を、段ボール等の堅固な物に貼り付けて文化遺産類のレプリカを作る方法が説明されており、所定倍率の解釈や計算方法等についても説明されていてもよい。
【００１７】
なお、各文化遺産表示部３ａに表示される文化遺産類は、当該書籍１に掲載したり、コピーしたり、当該書籍１の製造、販売等したり、等の行為が、当該文化遺産類の著作権を不当に侵害することとならないようなものが、好適に用いられうる。
【００１８】
次に、このような構成を本実施の形態の作用について説明する。
【００１９】
本実施の形態の書籍１には、上述のように、文化遺産類が表示されている文化遺産表示部３ａと、当該文化遺産類の実物の大きさに対する前記所定倍率が表示されている倍率表示部５ａと、が相互に対応付けられて表示されている（図１参照）。このため、書籍１の読者等は、当該文化遺産表示部３ａに対応付けられて表示されている倍率表示部５ａを参照することによって、当該文化遺産表示部３ａに表示されている文化遺産類の実物の大きさを想像することが可能である。
【００２０】
また、文化遺産表示部３ａを、倍率調整機能を有するコピー機（倍率変更可能コピー装置）（図示せず）を用いて、当該文化遺産表示部３ａに対応する倍率表示部５ａにおいて表示されている「所定倍率」の大きさにコピーすることにより、当該文化遺産表示部３ａに表示されている文化遺産類の実物と略同一の大きさのコピー印刷物を簡単に得ることができる。そして、このようなコピー印刷物を利用することにより、書籍１の読者等は、当該文化遺産表示部３ａに表示されている文化遺産類の実物の大きさを、極めて容易に想像することができる。
【００２１】
更に、レプリカ作成方法説明部７ａの記載を考慮して、文化遺産類のレプリカを比較的簡単に作成することができる。例えば、各文化遺産表示部３ａを所定倍率の大きさにコピーしたコピー印刷物を、段ボール等の堅固な物に貼り付けることにより、文化遺産類のレプリカが簡単に作成される。このようにして作成されたレプリカを利用することによって、書籍１の読者等は、当該文化遺産表示部３ａに表示されている文化遺産類の実物の大きさを容易に想像することができるだけでなく、実物を使用した場合の体感（実感）に限りなく近い体感（実感）を得ることが可能である。
【００２２】
書籍１の読者等は、上述したような「文化遺産表示部３ａと倍率表示部５ａとが対応付けられて表示された書籍１」、「所定倍率の大きさに調整されたコピー印刷物」、或いは「レプリカ」を利用することにより、理解が難しい文化遺産類に関連する歴史事物を簡単にイメージしたり追体験的に体感したりすることができる。このため、書籍１の読者等は、文化遺産類を通じた歴史事物を楽しみながら学習することができ、また、文化遺産類の実物の想像や追体験的な体感を介した学習によって学んだことを良好に定着（記憶）することができる。そして、文化遺産類の実物に関する正確な理解が促され、非常に効果的な歴史学習が実現されうる。
【００２３】
次に、本実施の形態の変形例について説明する。
【００２４】
文化遺産表示部３ａを書籍１から切り取るための分離ライン９が、書籍１に設けられていてもよい。すなわち、例えば、図２に示すように、複数の切り取り孔９ａが、文化遺産表示部３ａに表示されている文化遺産類の輪郭の近傍において、当該輪郭に沿って設けられることによって形成された分離ライン９を、書籍１に設けた場合にも、書籍１は、上述した本実施の形態の場合と略同一の作用・効果を奏しうる。
【００２５】
また、本変形例のように分離ライン９を書籍１に設けることによって、文化遺産表示部３ａを書籍１から容易に分離することができる。そして、コピー機（倍率変更可能コピー装置）を用いて前述したコピー印刷物を得る際、書籍１から分離した文化遺産表示部３ａを用いることによって、所定倍率の大きさへの文化遺産表示部３ａのコピーを簡単に行うことができる。更に、このようにして得られたコピー印刷物は、書籍１のうち文化遺産表示部３ａ以外の箇所が除外された形式で得られるので、前述したレプリカを作成する際にも非常に都合よく用いられうる。
【００２６】
また、書籍１（印刷物）の文化遺産表示部３ａには、当該文化遺産表示部３ａを分割するための分割ライン１０が設けられていてもよい。この分割ライン１０は、当該分割ライン１０によって分割される文化遺産表示部３ａの各部の全体を、コピー機（倍率変更可能コピー装置）によって所定倍率の大きさにコピーすることができるように、設けられていることが好ましい。例えば、図３に示すように、文化遺産表示部３ａの略中央部において水平方向に延びる分割ライン１０を設けた場合にも、書籍１は、上述した本実施の形態と略同一の作用・効果を奏しうる。
【００２７】
また、本変形例では、所定倍率に調整されたのコピー印刷物を得る際に、分割ライン１０によって分割された文化遺産表示部３ａの各部（分割部）４ａ、４ｂの全体を、別個に、倍率調整機能を有するコピー機（倍率変更可能コピー装置）を用いて所定倍率の大きさへコピーすることができる。そして、所定倍率の大きさにコピーされた分割部４ａ、４ｂを再度接着することによって、文化遺産表示部３ａ全体が所定倍率の大きさにコピーされたコピー印刷物を得ることができる。なお分割ライン１０は、分割部４ａ、４ｂを示す各種のライン（孔、点線、等を含む）によって形成されうる。
【００２８】
コピー印刷物を得る際に低倍率へのコピーしかできないコピー機を用いなければならない場合には、文化遺産類の実物の大きさが非常に大きいと、文化遺産表示部３ａの全体を、一度に所定倍率の大きさにコピーすることが難しい。しかしながら、本変形例のように文化遺産表示部３ａを分割する分割ライン１０を、適切な箇所に単数乃至複数設けることにより、コピー機によって一度にコピーが可能な大きさに応じた分割部に文化遺産表示部３ａを分割することができる。そして、所定倍率の大きさにコピーされた各分割部４ａ、４ｂのコピー物を適宜接着することによって、文化遺産表示部３ａ全体のコピー印刷物を得ることができる。このため、上述のような分割ライン１０を設けることによって、実物の大きさにかかわらず、低倍率へのコピーしかできないコピー機を用いた場合であっても、文化遺産表示部３ａに対して所定倍率の大きさを有するコピー印刷物を得ることが可能となる。また、上述のレプリカを作成する際には、取り扱われるコピー物が小さいので、レプリカの作成作業の簡便化が図られることとなる。
【００２９】
なお、上述の本実施の形態及び変形例では、矢印の近傍に倍率表示部５ａを設けることによって、文化遺産表示部３ａと倍率表示部５ａとを相互に対応付けて表示したが、これに限定されるものではなく、他の適切な方法によっても「文化遺産表示部３ａ」と「所定倍率」とを相互に対応付けることが可能である。
【００３０】
また、上述の本実施の形態及び変形例では、倍率表示部５ａに表示されている「所定倍率」が１よりも大きい文化遺産表示部３ａ（所定倍率＞１）が図示されているが、これに限定されるものではない。書籍１は、倍率表示部５ａに表示されている「所定倍率」が１よりも小さい文化遺産表示部３ａ（所定倍率＜１）や「所定倍率」が１である文化遺産表示部３ａ（所定倍率＝１）を有していてもよい。
【００３１】
また、文化遺産表示部３ａには、縦方向の大きさのみ、或いは横方向の大きさのみ所定倍率の大きさ調整された文化遺産類が表示されていてもよい。この場合、その旨を書籍１に示すことによって、読者等が、当該旨を認識することができるようにすることが好ましい。
【００３２】
また、レプリカを作成する際にコピー印刷物を貼り付けるものは、段ボール等以外の物を用いることもできる。すなわち、コピー印刷物を用いてレプリカを作成するために必要とされる、強度、コピー印刷物を支持する性能、等の諸性質を十分に有する材料に対して、コピー印刷物を貼り付けることによってもレプリカを作成することができる。
【００３３】
第２の実施の形態
本発明の第２の実施の形態は、図４に示すように、ＣＤ−ＲＯＭ（コンピュータ読み取り可能な記録媒体）１２に関する。
【００３４】
ＣＤ−ＲＯＭ１２には、図４に示すように、文化遺産関連データ１２ａと、倍率データ１２ｂと、レプリカ作成方法データ１２ｃと、が記録されている。
【００３５】
文化遺産関連データ１２ａは、実物に対して所定倍率の大きさに調整された文化遺産類に関するデータを含んでいる。
【００３６】
倍率データ１２ｂは、文化遺産関連データ１２ａに含まれ実物に対して所定倍率の大きさに調整された文化遺産類に関するデータに対応付けられたデータであって、所定倍率に関するデータを含んでいる。
【００３７】
レプリカ作成方法データ１２ｃは、各文化遺産表示部３ａを所定倍率の大きさにコピーしたコピー印刷物を、段ボール等の堅固な物に貼り付けて文化遺産類のレプリカを作る方法を説明に関するデータを含んでいる。
【００３８】
次に、本実施の形態の作用について説明する。
【００３９】
上述のようなＣＤ−ＲＯＭ１２を、市販されているコンピュータ１４にセッティングすると、ＣＤ−ＲＯＭ１２に記録されているデータがコンピュータ１４に読み込まれる。そして、例えば図５に示されるようにして、コンピュータ１４（例えばディスプレイ１４ａ等）において表示がなされる。
【００４０】
すなわち、ディスプレイ１４ａには、図５に示すように、文化遺産類が表示されている文化遺産表示部３ｂが単数乃至複数示される。このようにしてディスプレイに示される文化遺産表示部３ｂの大きさは、文化遺産表示部３ｂに表示されている文化遺産類の実物の大きさに対して所定倍率を有している。この「所定倍率」は、各文化遺産表示部３ｂ毎に決めることが可能であり、また、ＣＤ−ＲＯＭ１２のセッティングの際やセッティング後において適宜変更することが可能である。
【００４１】
また、ディスプレイ１４ａには、各文化遺産表示部３ｂに応じた「所定倍率」が、関連する文化遺産表示部３ｂと相互に対応付けられて示される（倍率表示部５ｂ）。
【００４２】
更に、ディスプレイ１４ａには、ＣＤ−ＲＯＭ１２に記録されているレプリカ作成方法データ１２ｃに基づいて、各文化遺産表示部３ｂに表示されている文化遺産類のレプリカの作成方法が示される（レプリカ作成方法説明部７ｂ）。
【００４３】
このような表示を有するディスプレイ１４ａ等を含むコンピュータ１４を利用することによって、コンピュータ１４の利用者は、各文化遺産表示部３ｂに対応付けられて表示されている倍率表示部５ｂ（所定倍率）を参照して、当該文化遺産表示部３ｂに表示されている文化遺産類の実物の大きさを想像することが可能である。また、文化遺産表示部３ｂを、当該文化遺産表示部３ｂに対応する倍率表示部５ｂに表示されている「所定倍率」の大きさにコピーすることによって、当該文化遺産表示部３ｂに表示されている文化遺産類の実物と略同一の大きさのコピー印刷物を簡単に得ることができる。更に、コンピュータ１４に示されているレプリカ作成方法に基づいて、文化遺産類のレプリカを簡単に作成することができる。そして、文化遺産類の実物に関する正確な理解が促され、非常に効果的な歴史学習が実現されうる。
【００４４】
また、本実施の形態のようなコンピュータ読み取り可能な記録媒体（ＣＤ−ＲＯＭ１２等）を用いることによって、第１の実施の形態で説明したような書籍１（印刷物）を用いた場合に比べて、大量のデータをコンパクトに保存しておくことができる。また、コンピュータ１４の有する機能をも利用することができ、例えば、ＣＤ−ＲＯＭ１２に記録されている所望の文化遺産類に関するデータを、コンピュータ１４の有する検索機能を用いることによって素早く探知することができる。
【００４５】
なお、上述の第１の実施の形態或いはその変形例に係る書籍１（印刷物）と、上述の第２の実施の形態に係るＣＤ−ＲＯＭ１２（コンピュータ読み取り可能な記録媒体）と、を組み合わせた刊行物２１（例えば図６）も、本件明細書において特許権による保護を求める発明に含まれうる。この場合、文化遺産表示部３ｂに表示されている文化遺産類と、コンピュータ読み取り可能な記録媒体に記録されている文化遺産関連データ１２ａに含まれ実物に対して所定倍率の大きさに調整された文化遺産類と、は同一対象に関するものであることが好ましい。このような場合には、書籍１及びＣＤ−ＲＯＭ１２の双方から文化遺産類の実物に関する正確な理解が促され、また、刊行物２１の利用者は、書籍１及び／又はＣＤ−ＲＯＭ１２を任意に利用することができるからである。また、書籍１における文化遺産類に関する情報と、ＣＤ−ＲＯＭ１２における文化遺産類に関する情報とが対応し、より効果的な学習効果を期待することができるからである。
【００４６】
【発明の効果】
以上説明したように本発明に係る印刷物によれば、文化遺産表示部と倍率表示部が相互に対応付けられて印刷物に表示され、印刷物の読者等は、文化遺産類の実物に関する正確な理解を当該印刷物から効果的に得ることができる。
【００４７】
また、本発明に係るコンピュータ読み取り可能な記録媒体によれば、コンピュータにおける当該記録媒体の処理を介して、実物に対して所定倍率の大きさに調整された文化遺産類に関するデータと、当該文化遺産類に関する所定倍率に関するデータと、が対応付けられた形で、コンピュータの利用者等に提供されうる。このため、印刷物の読者等は、文化遺産類の実物に関する正確な理解を得ることができる。
【００４８】
また、本発明に係る刊行物によれば、刊行物の利用者は、文化遺産類の実物に関する正確な理解を得ることができる。
【図面の簡単な説明】
【図１】書籍（印刷物）の概略構成を示す図である。
【図２】分離ラインが設けられた書籍の概略構成を示す図である。
【図３】分割ラインが設けられた書籍の概略構成を示す図である。
【図４】ＣＤ−ＲＯＭ（コンピュータ読み取り可能な記録媒体）を説明する概略図である。
【図５】図４に示すＣＤ−ＲＯＭがセッティングされたコンピュータ（ディスプレイ）を説明する概略図である。
【図６】刊行物の一例を示す概略図である。
【符号の説明】
１  書籍
３ａ、３ｂ  文化遺産表示部
４ａ、４ｂ  分割部
５ａ、５ｂ  倍率表示部
７ａ、７ｂ  レプリカ作成方法説明部
９  分離ライン
９ａ  切り取り孔
１０  分割ライン
１２  ＣＤ−ＲＯＭ（コンピュータ読み取り可能な記録媒体）
１２ａ  文化遺産関連データ
１２ｂ  倍率データ
１２ｃ  レプリカ作成方法データ
１４  コンピュータ
１４ａ  ディスプレイ
２１  刊行物
【図１】
2004191586.tif 000003
【図２】
2004191586.tif 000004
【図３】
2004191586.tif 000005
【図４】
2004191586.tif 000006
【図５】
2004191586.tif 000007
【図６】
2004191586.tif 000008